(57)【特許請求の範囲】
【請求項１】
複数のコンタクト収容凹部が形成されたコネクタ本体と、該コンタクト収容凹部に圧入され、保持される複数の雌コンタクトとを有する雌コネクタと、
複数のスリットが形成されたコネクタ本体と、該スリットに圧入され、保持される複数の雄コンタクトとを有する雄コネクタと、
を備え、
前記雌コンタクトは、前後に隣接する雌コンタクトが斜め位置する千鳥状に配置されるように、複数列配列され、
前記雌コンタクトに接続される前記雄コンタクトは、前記雌コンタクトの配列に対応して千鳥状に複数列配列され、
前記千鳥状に配列された雌コンタクトのうち、前後に隣接する２列は、一対の信号線用コンタクト組の列であり、該一対の信号線用コンタクト組の列を前後に挟む１列はグランド用コンタクトの列であり、
前記複数の雄コンタクト各々は、Ｌ字形状に打ち抜かれた金属薄板から形成され、垂直方向に延びる接点部、一端が該接点部下端で直交し、水平方向に延びる固定部、該固定部の水平方向中心部から下方に延びる端子部及び該端子部の前面または後面に溶着された半田ボールを含むことを特徴とする電装部品間を接続する高速伝送用高密度コネクタ。
【請求項２】
前記複数の雌コンタクト各々は、所定の形状に打ち抜かれた金属薄板から形成され、押圧部、弾性変形部、第１の折り曲げ部としての湾曲部、挟持部、第２の折り曲げ部、固定部、端子部及び該端子部に溶着された半田ボールを含み、前記押圧部と挟持部との間に挿入される前記雄コンタクトの接点部の少なくとも一部を挟持するように構成されていることを特徴とする請求項１に記載の高速伝送用高密度コネクタ。
【請求項３】
前記雌コンタクトが圧入されるコンタクト収容凹部のうち、グランド用雌コンタクトが圧入されるコンタクト収容凹部には、その一端が、前後方向斜めに隣接する信号線用コンタクトが収容されるコンタクト収容凹部を越える程度にまで左または右方向に延在し、その他端が、グランド用コンタクトが収容されるコンタクト収容凹部に連通する収容溝部がさらに形成され、
前記複数の雄コンタクトのうち、グランド用雄コンタクトは、接点部と固定部との幅が同じであり、該グランド用コンタクトの幅は、前記雌コンタクトのグランド用コンタクトが収容されるコンタクト収容凹部の幅に該コンタクト収容凹部に連通する前記収容溝部の左右方向の長さをくえた長さにほぼ等しいことを特徴とする請求項１または２に記載の高速伝送用高密度コネクタ。
【請求項４】
前記グランド用雄コンタクトの端子部は、固定部の左右方向一方の側から下方に延び、前記半田ボールは、該端子部の前面または後面に溶着されていることを特徴とする請求項３に記載の高速伝送用高密度コネクタ。
【発明の詳細な説明】
【技術分野】
【０００１】
本発明は、信号が高速で伝送される、プリント基板間、プリント基板とフレキシブルケーブルとの間、あるいはフレキシブルケーブル間のような、電装部品間を、高密度で接続する高速伝送用高密度コネクタに関する。
【背景技術】
【０００２】
従来、電装部品としてのプリント基板間を接続する高密度コネクタとしては、特許文献１に開示される高密度コネクタが知られている。特許文献１に開示される高密度コネクタは、信号の高速伝送を可能とするとともに、信号線の高密度接続を可能とするために、信号線用コンタクト同士が千鳥状に配置される。
【０００３】
【特許文献１】特許第３４１３０８０号公報
【発明の開示】
【発明が解決しようとする課題】
【０００４】
このような高密度コネクタにおいては、プリント基板間を高速で信号伝送することから、信号線間のクロストークやノイズなどの発生を抑制するために、グランド用コンタクトが設けられる必要がある。上記特許文献１の高密度コネクタにおいては、グランド用コンタクトは、基本的に、信号線用コンタクトに対して直交するように配設されている。
【０００５】
しかしながら、信号線用コンタクトがさらに高密度化すると、信号線用コンタクトとグランド用コンタクトが直交している配設では、グランド用コンタクトを信号線用コンタクトの外周に配置せざるを得なくなる。それによりクロストークやノイズ対策が不十分になり、結局、高速伝送用コネクタとして高密度化に対応しきれない恐れがある。また、信号線用コンタクトとグランド用コンタクトの向きが異なるため、多数の信号線用及びグランド用コンタクトの同時接続に注意が必要であり、コネクタとしての接続に時間がかかる。
【０００６】
本発明の目的は、信号線用コンタクトのさらなる高密度化に対応可能であるとともに、構造が簡単であり、接続が容易な高速伝送用高密度コネクタを提供することにある。
【課題を解決するための手段】
【０００７】
上記目的を達成するために、本発明に係る電装部品間を接続する高速伝送用高密度コネクタは、複数のコンタクト収容凹部が形成されたコネクタ本体と、該コンタクト収容凹部に圧入され、保持される複数の雌コンタクトとを有する雌コネクタと、複数のスリットが形成されたコネクタ本体と、該スリットに圧入され、保持される複数の雄コンタクトとを有する雄コネクタとを備え、前記雌コンタクトは、前後に隣接する雌コンタクトが斜め位置する千鳥状に配置されるように、複数列配列され、前記雌コンタクトに接続される前記雄コンタクトは、前記雌コンタクトの配列に対応して千鳥状に複数列配列され、前記千鳥状に配列された雌コンタクトのうち、前後に隣接する２列は、一対の信号線用コンタクト組の列であり、該一対の信号線用コンタクト組の列を前後に挟む１列はグランド用コンタクトの列であり、前記複数の雄コンタクト各々は、Ｌ字形状に打ち抜かれた金属薄板から形成され、垂直方向に延びる接点部、一端が該接点部下端で直交し、水平方向に延びる固定部、該固定部の水平方向中心部から下方に延びる端子部及び該端子部の前面または後面に溶着された半田ボールを含むことを特徴とする。
【０００８】
また、本発明の高速伝送用高密度コネクタに用いられる複数の雌コンタクト各々は、所定の形状に打ち抜かれた金属薄板から形成され、押圧部、弾性変形部、第１の折り曲げ部としての湾曲部、挟持部、第２の折り曲げ部、固定部、端子部及び該端子部に溶着された半田ボールを含み、前記押圧部と挟持部との間に挿入される前記雄コンタクトの接点部の少なくとも一部を挟持するように構成されていることが好ましい。
【００１０】
さらに、雌コンタクトが圧入されるコンタクト収容凹部のうち、グランド用雌コンタクトが圧入されるコンタクト収容凹部には、その一端が、前後方向斜めに隣接する信号線用コンタクトが収容されるコンタクト収容凹部を越える程度にまで左または右方向に延在し、その他端が、グランド用コンタクトが収容されるコンタクト収容凹部に連通する収容溝部がさらに形成され、複数の雄コンタクトのうち、グランド用雄コンタクトは、接点部と固定部との幅が同じであり、該グランド用コンタクトの幅は、前記雌コンタクトのグランド用コンタクトが収容されるコンタクト収容凹部の幅に該コンタクト収容凹部に連通する前記収容溝部の左右方向の長さをくえた長さにほぼ等しいことが好ましい。
【００１１】
また、グランド用雄コンタクトの端子部は、固定部の左右方向一方の側から下方に延び、前記半田ボールは、該端子部の前面または後面に溶着されていてもよい。
【発明の効果】
【００１２】
本発明の高速伝送用高密度コネクタは、雄コネクタを構成する複数の雄コンタクト及び雌コネクタを構成する複数のコンタクトが、千鳥状に配列されるとともに、千鳥状に配列された雌コンタクトのうち、前後に隣接する２列は、一対の信号線用コンタクト組の列であり、該一対の信号線用コンタクト組の列を前後に挟む１列はグランド用コンタクトの列であるように構成したので、雌コンタクト間の距離を大きく取ることができる。それにより、信号線用雌コンタクト間のインピーダンス整合を、高速伝送に必要とされる１００Ωに近づけることが可能となる。また、信号線用コンタクト組の列の間にグランド用雌コンタクトの列を配置することで、信号線用コンタクトを高密度に配置しても、隣り合う信号線用コンタクト組間のクロストークを減少させることが可能となる。
【００１３】
雄コンタクト及び雌コンタクトの構造は簡単であるので、製造が容易である。さらに、接続される電装部品の外部電極の配列にも容易に対応できる。
【００１４】
また、グランド用雄コンタクトを幅広にすることで、隣り合う信号線用コンタクト組間のクロストークをより一層減少させることが可能となる。
【発明を実施するための最良の形態】
【００１５】
以下図面を用いて本発明に係る高速伝送用高密度コネクタについて説明する。
【００１６】
（第１の実施態様）
図１ないし図１１に本発明の第１の実施態様が示されている。図１は、本発明の第１の実施態様に係る高速伝送用高密度コネクタを構成する雌コネクタの上面側から見た斜視図であり、図２は、図１に示される雌コネクタの部分拡大上面図であり、図３は、図１に示される雌コネクタの下面側から見た斜視図である。図４は、図１に示される雌コネクタに用いられる雌コンタクト単体の斜視図であり、（ａ）は、１つの実施例であり、（ｂ）は、別の実施例であり、（ｃ）は、さらに別の実施例である。図５は、本発明の第１の実施態様に係る高速伝送用高密度コネクタを構成する雄コネクタの上面側から見た斜視図であり、図６は、図５に示される雄コネクタの上面側からみた部分拡大斜視図である。図７は、図５に示される雄コネクタに用いられる雄コンタクト及び該雄コンタクトの配列を示す上から見た一部拡大斜視図である。図８は、図５に示される雄コネクタが実装されるフレキシブルケーブルの配線パターンを示し、（ａ）は、１例として、パッドが直線状に配列されているパターンの部分拡大上面図であり、（ｂ）は、別の例として、パッドが千鳥状に配列されているパターンの部分拡大上面図である。図９は、図５に示される雄コネクタがフレキシブルケーブルに実装された状態を示す斜視図であり、図１０は、図１に示される雌コネクタがプリント基板に実装された状態を示す斜視図である。図１１は、図１に示される雌コネクタと図５に示される雄コネクタが嵌合され、フレキシブルケーブルとプリント基板とが本発明に係る高速伝送用高密度コネクタを介して電気的に接続された状態を示す斜視図である。
【００１７】
本実施態様における高速伝送用高密度コネクタ１０は、図９ないし１１に示されるように、フレキシブルケーブル８０とプリント基板９０とを電気的に接続する。本実施態様における高速伝送用高密度コネクタ１０は、図９に示されるように、フレキシブルケーブル８０に実装される雄コネクタ４０とプリント基板９０に実装される雌コネクタ２０とを備えている。
【００１８】
本実施態様における雌コネクタ２０は、図１に示されるように、コネクタ本体２１及び複数の雌コンタクト３０を備えている。
【００１９】
コネクタ本体２１は、電気的に絶縁性の合成樹脂からなり、水平断面概略矩形状をなす、板状体として形成されている。コネクタ本体２１には、それぞれが上下方向に細長く水平断面略矩形状の複数のコンタクト収容凹部２２が形成されている。この複数のコンタクト収容凹部２２は、図２に示されるように、所定のピッチで千鳥状に配列されている。該コンタクト収容凹部２２各々には、後述する複数の雌コンタクト３０が１つずつ挿入される。矩形状のコンタクト収容凹部２２の一方の側部（図２において下側側部）には、雌コンタクト３０の固定部３６の左右に形成される突起３９が圧入される圧入溝２３が、コンタクト収容凹部２２の左右に対称的に形成されている。また、コンタクト収容凹部２２の圧入溝２３、２３が形成されている側には、コンタクト収容凹部２２底面からコネクタ本体２１を上下に貫通する貫通孔（不図示）が形成されている。該貫通孔は、雌コンタクト３０の半田ボール３８が突出し得る水平断面を有する。
【００２０】
本実施態様における雌コンタクト３０各々は、図４（ａ）に詳細に示されるように、導電性の金属薄板から所定の形状に打ち抜かれた細長い板体を横から見て概略Ｚ字状に２回折り曲げることで形成される。雌コンタクト３０は、図４（ａ）に示されるように、押圧部３１、弾性変形部３２、第１の折り曲げ部である湾曲部３３、挟持部３４、第２の折り曲げ部３５、固定部３６、端子部３７及び端子部３７後面に溶着される半田ボール３８を含んでいる。
【００２１】
細長い板体の一端部である押圧部３１は、図４（ａ）に示されるように、くの字状に形成され、雄コンタクト３０の上方にほぼ垂直に配置され、下方の弾性変形部３２に続く。弾性変形部３２下端は、第１の折り曲げ部としての湾曲部３３を介して上方に向けて折り返され、挟持部３４に続く。挟持部３４は、押圧部３１に対向するように垂直に配置される。該挟持部３４は、弾性変形部３２の弾性変形に伴う湾曲部３３のバネ力が加えられる押圧部３１との間で後述する雄コネクタ４０の雄コンタクト５０を挟持し、雌コンタクト２０と雄コンタクト４０とを電気的に接続する。挟持部３４上端は、第２の折り曲げ部３５を介して下方に向けて再度折り返され、固定部３６に続く。固定部３６は、挟持部３４に対面するように垂直に配置される。該固定部３６の左右の側部には、突起３９、３９が設けられ、上記コネクタ本体２１に設けられたコンタクト収容凹部２２の圧入溝２３、２３内に圧入され、雌コンタクト３０をコネクタ本体２１に固定、支持される。固定部３６の下端は、細長い板体の他端部である端子部３７に続く。端子部３７には、プリント基板９０の外部電極であるパッドに接続される半田ボール３８が取り付けられる。端子部３７は、第２の折り曲げ部である湾曲部３３の下端より下方に延在するように配置される。
【００２２】
雌コンタクト３０各々は、雌コネクタ２０のコネクタ本体２１に設けられたコンタクト収容凹部２２内にそれぞれ挿入される。その場合、雌コンタクト３０の固定部３６の突起３９、３９が、雌コンタクト３０の湾曲部３３の下端がコンタクト収容凹部２２の底面に当接するまで、貫通孔２２の左右に形成されている圧入溝２３、２３内に圧入される。また、雌コンタクト３０の端子部３７及びそれに取り付けられた半田ボール３８は、コネクタ本体２１の貫通孔を貫通し、コネクタ本体２１の下方に突出する（図３参照）。
【００２３】
本実施態様においては、雌コンタクト３０を上述したような構成としているが、雌コンタクト３０の形状はこれに限定されるものではない。例えば、図４（ｂ）、（ｃ）に示されるように、本実施態様における弾性変形部３２の下端から固定部３６を介して端子部３７が直接垂直方向下方に延在するように形成される概略直線状の雌コンタクト３０であってもよい。この場合、挟持部３４が存在しないので、押圧部３１は、雄コンタクト５０に対して単に押圧接触する。
【００２４】
このように、雌コンタクト３０は、いずれにしても、構造が簡単であり、また、コネクタ本体２１に設けられたコンタクト収容凹部２２に容易に圧入することが可能であり、雌コネクタ２０の製造が容易である。
【００２５】
本実施態様においては、上記したように、コネクタ本体２１に千鳥状に配列して設けられたコンタクト収容凹部２２内に、図４に示されるような雌コンタクト３０が挿入され、固定される。結果として、雌コンタクト３０は、千鳥状に配列されることになる。このように配列することで、雌コンタクト３０の前後方向または左右方向のピッチを小さくすることができ、雌コンタクト３０をさらに高密度に配設することが可能となる。本実施態様においては、さらに、図２に示されるように、左右方向一直線上に配列される雌コンタクト３０の前後方向に隣り合う２列分が、信号線用雌コンタクト３０ｂ１、３０ｂ２として構成される。そして、前後方向斜めに、すなわち、千鳥に配置される信号線用雌コンタクト３０ｂ１、３０ｂ２同士で対をなし、信号が往復する信号線用雌コンタクト組３０ｂを構成する。また、２列の信号線用雌コンタクト３０ｂ１、３０ｂ２、すなわち、一対の信号線用雌コンタクト組の列のさらに前後の列に配列される１列分が、グランド用雌コンタクト３０ａとして構成される。このように、信号線用雌コンタクト組３０ｂの対をなす信号線用雌コンタクト３０ｂ１、３０ｂ２が千鳥に配置されることで、該雌コンタクト３０ｂ１、３０ｂ２間の距離を大きく取ることができる。それにより、信号線用雌コンタクト３０ｂ１、３０ｂ２間のインピーダンス整合を、高速伝送に必要とされる１００Ωに近づけることが可能となる。また、信号線用コンタクト組３０ｂの列の間にグランド用雌コンタクト３０ａの列を配置することで、信号線用コンタクト３０ｂ１、３０ｂ２を高密度に配置しても、隣り合う信号線用コンタクト組３０ｂ間のクロストークを減少させることが可能となる。
【００２６】
次に、本実施態様における雄コネクタ４０は、雌コネクタに対応し、それぞれのコンタクトがそれぞれ電気的に接続される部材であり、図５に示されるように、コネクタ本体４１及び複数の雄コンタクト５０を備えている。
【００２７】
雄コネクタ４０のコネクタ本体４１は、電気的に絶縁性の合成樹脂からなり、前後の側壁４２、４４、左右の側壁４３、４５及び底壁４６を含み、筐体形状をなしている。コネクタ本体４１は、雄コネクタ４０と雌コネクタ２０とを嵌め合わせるとき、前後の側壁４２、４４、左右の側壁４３、４５及び底壁４６で、雌コネクタ２０のコネクタ本体２１を覆うことができるように構成されている（図１１参照）。雄コネクタ４０のコネクタ本体４１の底壁４６には、複数の雄コンタクト５０を保持するための細長いスリット４７が複数形成されている。該複数のスリット４７は、底壁４６の左右方向に延在し、底壁４６を上下方向に貫通している。形成される複数のスリット４７は、雌コネクタ２０のコンタクト収容凹部２２と同一ピッチでマトリックス状に配列されている。該複数のスリット４７の左右方向の長さは全て同じであり、上記雌コネクタ２０の千鳥に配設された前後方向斜めに隣接する２つのコンタクト収容凹部２２を含む長さＳ（図２参照）にほぼ等しい。
【００２８】
本実施態様における雄コンタクト５０各々は、図７に最もよく示されるように、導電性の金属薄板から略Ｌ字形状に打ち抜かれることで形成される。雄コンタクト５０は、接点部５１、固定部５２、端子部５３（さらに、図１８（ａ）参照）及び該端子部５３の前面または後面に溶着される半田ボール５４を含んでいる。
【００２９】
接点部５１は、上下方向垂直に延在し、その上方は、前後方向上方に向かって先細状となるように傾斜面が形成され、下方は、固定部５２に続く。固定部５２は、左右方向水平に延在し、その一端で接点部５１と直交するように形成される。固定部５２の左右両側には突起５５、５５が形成され、該突起５５を含む固定部５２の左右方向の長さは、上記コネクタ本体４１の底壁４６に形成されるスリット４７の左右方向の長さより若干長く形成される。固定部５２がコネクタ本体４１のスリット４７に圧入されることで、雄コンタクト５０をコネクタ本体４１に固定する。端子部５３は、固定部５２の左右方向中心部で下方に向かって突出形成され、その前面または後面に半田ボール５４が溶着される。
【００３０】
本実施態様では、端子部５３の前面に半田ボール５４を溶着した雄コンタクト５０と端子部の後面に半田ボール５４を溶着した雄コンタクト５０が用意される。このように、雄コンタクト５０を用意する理由は、本実施態様では、雄コネクタ４０が実装されるフレキシブルケーブル８０が、図８（ａ）に示されるように、信号線８１の外部電極である信号線用パッド８１ａ、８１ｂ及びグランド用パッド８３が直線状に配列されているためである。（なお、フレキシブルケーブル８０のグランド線は、該フレキシブルケーブル８０の図示されない裏面側全面に形成され、バンプなどを介してグランド用パッド８３に接続されている。）
【００３１】
図７に示されるように、半田ボール５４を端子部５３に対して同じ側（本実施態様では、前方側）に向け、雄コンタクト５０の固定部５２をコネクタ本体４１のスリット４７に下側から圧入固定する。この時、フレキシブルケーブル８０の信号線用パッド８２ａ、８２ｂ及びグランド用パッド８３に接触する雄コンタクト５０の半田ボール５４は、同一ピッチで一直線状に整列されるとともに、雄コンタクト５０の接点部５１は、雌コンタクト３０の千鳥状の配置に合致するように千鳥状に配置されることが可能になる。
【００３２】
なお、雄コンタクト５０の形状は、例えば、実装されるフレキシブルケーブル８０の外部電極であるパッドの配置が、図８（ｂ）に示されるように、千鳥状に配置されている場合には、接点部５１、固定部５２、端子部５３及び半田ボール５４は、上下方向直線状に延在するように形成され得る（図１８（ｂ）参照）。なお、この場合、コネクタ本体４１の底壁４６に形成されるスリット４７は、千鳥状に配列される。
【００３３】
このように、本実施態様における雄コンタクト５０も、構造が簡単であり、また、スリット４７に容易に挿入することが可能であり、雄コネクタ４０の製造が容易である。
【００３４】
雄コンタクト５０（より具体的にはその接点部５１）は、図６に詳細に示されるように、雌コンタクト３０に対応して、左右方向１列に配列される雄コンタクト５０の前後方向に隣り合う２列分が、信号線用雄コンタクト５０ｂ１、５０ｂ２として構成される。そして、前後方向斜めに、すなわち、千鳥に配置される信号線用雄コンタクト５０ｂ１、５０ｂ２同士で対をなし、信号が往復する信号線用雄コンタクト組５０ｂを構成する。また、２列の信号線用雄コンタクト５０ｂ１、５０ｂ２のさらに前後の列に配列される１列分が、グランド用雄コンタクト５０ａとして構成される。
【００３５】
以上のように構成される雌コネクタ２０及び雄コネクタ４０は、本実施態様では、それぞれ、図９及び図１０に示されるように、プリント基板９０及びフレキシブルケーブル８０に実装される。この時、雌コネクタ２０の雌コンタクト３０に溶着される半田ボール３８及び雄コネクタ４０の雄コンタクト５０に溶着される半田ボール５４は、それぞれ、対応するプリント基板９０のパッド及びフレキシブルケーブルのパッドにリフロー半田付けにより接続される。その後、図１１に示されるように、雄コネクタ４０を雌コネクタ２０に嵌め込む。それにより、雄コネクタ４０の雄コンタクト５０の接点部５１が、雌コネクタ２０に設けられる雌コンタクト３０の押圧部３１と挟持部３４の間に所望の接圧で挟持される。結果として、プリント基板９０とフレキシブルケーブル８０が電気的に接続される。
【００３６】
（第２の実施態様）
図１２ないし図２０に本発明の第２の実施態様が示されている。図１２は、本発明の第２の実施態様に係る高速伝送用高密度コネクタを構成する雌コネクタの上面側から見た斜視図であり、図１３は、図１２に示される雌コネクタの部分拡大上面図であり、図１４は、図１２に示される雌コネクタの下面側から見た斜視図である。図１５は、本発明の第２の実施態様に係る高速伝送用高密度コネクタを構成する雄コネクタの上面側から見た斜視図であり、図１６は、図１５に示される雄コネクタの下面側から見た斜視図である。図１７は、図１５に示される雄コネクタの上面側からみた部分拡大斜視図である。図１８は、図１５に示される雄コネクタに用いられる信号線用雄コンタクトの斜視図であり、（ａ）は、１つの実施例であり、（ｂ）は別の実施例である。図１９は、図１５に示される雄コネクタに用いられるグランド用雄コンタクトの斜視図である。図２０は、信号線用雄コンタクト（または信号線用雌コンタクト）の従来の配列と本発明の配列の違いによる信号線用コンタクト間のインピーダンス整合の違いを説明するための図である。
【００３７】
本実施態様における高速伝送用高密度コネクタも、上記第１の実施態様と同様、図９ないし１１に示されるように、フレキシブルケーブル８０とプリント基板９０とを電気的に接続する。本実施態様における高速伝送用高密度コネクタ１０は、外部電極が図８（ａ）に示される直線状の配列を有するフレキシブルケーブル８０に実装される雄コネクタ４０と外部電極が千鳥状の配列を有するプリント基板９０に実装される雌コネクタ２０とを備えている。本実施態様は、雄コネクタ４０を構成する複数の雄コンタクト５０のうち、グランド用雄コンタクト５０ａの形状が上記第１の実施態様と異なり、それに伴い、雌コネクタ２０を構成するコンタクト収容凹部２２の形状が第１の実施態様と異なる。本実施態様における高速伝送用高密度コネクタのそれ以外の構造は、上記第１の実施態様とほぼ同じである。以下、上記相違点を詳しく説明し、その他の構造については簡単に概略を説明する。
【００３８】
本実施態様の雌コネクタ２０は、図１２に示されるように、コネクタ本体２１及び複数の雌コンタクト３０を備えている。
【００３９】
本実施態様におけるコネクタ本体２１は、電気的に絶縁性の合成樹脂からなり、水平断面概略矩形状をなす、板状体として形成されている。該コネクタ本体２１に、圧入溝２３や貫通孔を含む複数のコンタクト収容凹部２２が、図１３に示されるように、所定のピッチで千鳥状に配列されている点では、上記第１の実施態様と全く同じである。本実施態様では、図１３に示されるように、グランド用雌コンタクト３０ａが挿入されるコンタクト収容凹部２２に連通する、後述するグランド用雄コンタクト５０ａが挿入される収容溝部２５がコネクタ本体２１に形成されている。収容溝部２５は、コンタクト収容凹部２２にグランド用雌コンタクト３０ａが挿入されたとき、該雌コンタクト３０ａの押圧部３１と挟持部３４との間に対応する位置からコンタクト収容凹部２２の左または右方向に延在するように形成される。形成された収容溝部２５は、グランド用雌コンタクト３０ａが挿入されるコンタクト収容凹部２２を構成する前後方向に延在する側壁に対して、直交するように形成される。収容溝部２５は、図１３に示されるように、該収容溝部２５が連通する収容凹部２２に対して前後方向斜めに隣接するコンタクト収容凹部２２を概ね越える位置まで左または右方向に延びている。
【００４０】
本実施態様においては、コネクタ本体２１のコンタクト収容凹部２２にそれぞれに挿入される複数の雌コンタクト３０各々の形状は、上記第１の実施態様において説明された雌コンタクト３０と同じ形状を有する。すなわち、本実施態様においても、グランド用雌コンタクト３０ａ、信号線用雌コンタクト３０ｂ１、３０ｂ２として用いられる雌コンタクト３０いずれもが、図４（ａ）に示される形状を有している。
【００４１】
次に、本実施態様における雄コネクタ４０は、雌コネクタ２０に対応し、それぞれのコンタクトがそれぞれ電気的に接続される部材であり、図１５に示されるように、コネクタ本体４１及び複数の雄コンタクト５０を備えている。
【００４２】
本実施態様にけるコネクタ本体４１は、上記第１の実施態様と同様に、電気的に絶縁性の合成樹脂からなり、前後の側壁４２、４４、左右の側壁４３、４５及び底壁４６を含み、コネクタ本体４１の底壁４６には、複数の雄コンタクト５０を保持するための細長いスリット４７が複数形成されている。
【００４３】
本実施態様における雄コンタクト５０各々は、第１の実施態様とは異なり、グランド用雄コンタクト５０ａと信号線用雄コンタクト５０ｂ１、５０ｂ２とでは、その構成を異にする。
【００４４】
信号線用雄コンタクト５０ｂ１、５０ｂ２は、図１８によく示されるように、第１の実施態様と同じ形状を有する。すなわち、信号線用雄コンタクト５０ｂ１、５０ｂ２は、導電性の金属薄板から略Ｌ字形状に打ち抜かれる、接点部５１ｂ、固定部５２ｂ、端子部５３ｂ及び該端子部５３の前面または後面に溶着される半田ボール５４ｂを含んでいる。固定部５２ｂの左右には、スリット４７に圧入され、信号線用雄コンタクト５０ｂ１、５０ｂ２をコネクタ本体４１に固定できるように、突起５５が形成されている。
【００４５】
グランド用雄コンタクト５０ａは、図１９に詳細に示されるように、接点部５１ａ、固定部５２ａ、端子部５３ａ及び半田ボール５４ａを含んでいる。本実施態様におけるグランド用雄コンタクト５０ａは、接点部５１ａ及び固定部５２ａが、同じ左右方向の長さ（幅）を有して連続し、前方から見て幅広の概略矩形状の構造を有している。すなわち、接点部５１ａは、コネクタ本体４１の底壁４６に設けられたスリット４７の左右方向の長さと同じ長さを有している。固定部５２ａの左右側部には、スリット４７に圧入するための突起５５ａ、５５ａが突出形成されている。端子部５３ａは、固定部５２ａの左右方向中心部で下方に向かって突出形成され、その前面に半田ボール５４ａが溶着される。
【００４６】
なお、本実施態様の雄コンタクト５０については、接続されるフレキシブルケーブル８０の外部電極８２ａ、８２ｂ、８３が図８（ａ）のように直線状に配列されている場合について述べてきた。しかしながら、図８（ｂ）に示されるように千鳥状に配列されている場合は、信号線用雄コンタクト５０ｂ１、５０ｂ２は、図１８（ｂ）に示されるように、接点部５１、固定部５２、端子部５３及び半田ボール５４は、上下方向直線状に延在するように形成され得る。また、グランド用雄コンタクト５０ａに関しては、端子部５３が固定部５２の左右一方の側から下方に突出形成され、その前面または後面に半田ボール５４ａが溶着される。
【００４７】
グランド用雄コンタクト５０ａをこのようの構成することにより、雄コネクタ４０を雌コネクタ２０に重ね合わせたとき、グランド用雄コンタクト５０ａは、その一部が対応する雌コネクタ３０の押圧部３１と挟持部３４に挟持される。さらに、グランド用雄コネクタ５０ａの残りの部分は、雌コネクタ２０に設けられた収容溝部２５内に収納される。それにより、グランド用雄コンタクト５０ａは、前後方向に隣接する信号線用雄コンタクト組５０ｂ（及び信号線用雌コンタクト組３０ｂ）の間を遮断する。したがって、対をなす信号線用コンタクト組３０ｂ、５０ｂ間のクロストークが上記第１の実施態様より優れて抑制することが可能となる。
【００４８】
雄コンタクト５０（より具体的にはその接点部５１）は、上記第１の実施態様と同様、雌コンタクト３０に対応して、図１５に詳細に示されるように、左右方向１列に配列される雌コンタクト５０の前後方向に隣り合う２列分が、信号線用雄コンタクト５０ｂ１、５０ｂ２として構成される。そして、前後方向斜めに、すなわち、千鳥に配置される信号線用雄コンタクト５０ｂ１、５０ｂ２同士で対をなし、信号が往復する信号線用雄コンタクト組５０ｂを構成する。また、２列の信号線用雄コンタクト５０ｂ１、５０ｂ２のさらに前後の列に配列される１列分が、グランド用雄コンタクト５０ａとして構成される。
【００４９】
以上のように構成される雌コネクタ２０及び雄コネクタ４０は上記第１の実施態様と同様、それぞれ、図９及び図１０に示されるように、プリント基板９０及びフレキシブルケーブル８０に実装され、フレキシブルケーブル８０とプリント基板９０とを電気的に接続する。
【産業上の利用可能性】
【００５０】
以上、本明細書においては、本願発明に係る高速伝送用高密度コネクタを構成する雌コネクタがプリント基板に実装され、雄コネクタがフレキシブルケーブルに実装される例についてのみ説明してきたが、これに限られるものではない。例えば、雌コネクタがフレキシブルケーブルに実装されてもよいし、雄コネクタがプリント基板に実装されてもよい。また、本願発明に係る高速伝送用高密度コネクタは、プリント基板同士を接続してもよいし、フレキシブルケーブル間を接続してもよい。
【図面の簡単な説明】
【００５１】
【図１】本発明の第１の実施態様に係る高速伝送用高密度コネクタを構成する雌コネクタの上面側から見た斜視図である。
【図２】図１に示される雌コネクタの部分拡大上面図である。
【図３】図１に示される雌コネクタの下面側から見た斜視図である。
【図４】図１に示される雌コネクタに用いられる雌コンタクト単体の斜視図であり、（ａ）は、１つの実施例であり、（ｂ）は、別の実施例であり、（ｃ）は、さらに別の実施例である。
【図５】本発明の第１の実施態様に係る高速伝送用高密度コネクタを構成する雄コネクタの上面側から見た斜視図である。
【図６】図５に示される雄コネクタの上面側からみた部分拡大斜視図である。
【図７】図５に示される雄コネクタに用いられる雄コンタクト及び該雄コンタクトの配列を示す上から見た一部拡大斜視図である。
【図８】図５に示される雄コネクタが実装されるフレキシブルケーブルの配線パターンを示し、（ａ）は、１例として、パッドが直線状に配列されているパターンの部分拡大上面図であり、（ｂ）は、別の例として、パッドが千鳥状に配列されているパターンの部分拡大上面図である。
【図９】図５に示される雄コネクタがフレキシブルケーブルに実装された状態を示す斜視図である。
【図１０】図１に示される雌コネクタがプリント基板に実装された状態を示す斜視図である。
【図１１】図１に示される雌コネクタと図５に示される雄コネクタが嵌合され、フレキシブルケーブルとプリント基板とが本発明に係る高速伝送用高密度コネクタを介して電気的に接続された状態を示す斜視図である。
【図１２】本発明の第２の実施態様に係る高速伝送用高密度コネクタを構成する雌コネクタの上面側から見た斜視図である。
【図１３】図１２に示される雌コネクタの部分拡大上面図である。
【図１４】図１２に示される雌コネクタの下面側から見た斜視図である。
【図１５】本発明の第２の実施態様に係る高速伝送用高密度コネクタを構成する雄コネクタの上面側から見た斜視図である。
【図１６】図１５に示される雄コネクタの下面側から見た斜視図である。
【図１７】図１５に示される雄コネクタの上面側からみた部分拡大斜視図である。
【図１８】図１５に示される雄コネクタに用いられる信号線用雄コンタクトの斜視図であり、（ａ）は、１つの実施例であり、（ｂ）は別の実施例である。
【図１９】図１５に示される雄コネクタに用いられるグランド用雄コンタクトの斜視図である。
【図２０】信号線用雄コンタクト（または、信号線用雌コンタクト）の従来の配列と本発明の配列の違いによる信号線用コンタクト間のインピーダンス整合の違いを説明するための図である。
【符号の説明】
【００５２】
１０                高速伝送用高密度コネクタ
２０                雌コネクタ  
２１                （雌コネクタの）コネクタ本体
２２                コンタクト収容凹部
３０                雌コンタクト
３０ａ              グランド用雌コンタクト
３０ｂ１、３０ｂ２  信号線用雌コンタクト
３１                押圧部
３２                弾性変形部
３３                第１の折り曲げ部（湾曲部）
３４                挟持部
３５                第２の折り曲げ部
３６                固定部
３７                端子部
３８                半田ボール
４０                雄コネクタ
４１                （雄コネクタの）コネクタ本体
４７                スリット
５０                雄コンタクト
５０ａ              グランド用雄コンタクト
５０ｂ１、５０ｂ２  信号線用雄コンタクト
５１                接点部
５１ａ              （グランド用雄コンタクトの）接点部
５１ｂ              （信号線用雄コンタクトの）接点部
５２                固定部
５２ａ              （グランド用雄コンタクトの）固定部
５２ｂ              （信号線用雄コンタクトの）固定部
５３                端子部
５３ａ              （グランド用雄コンタクトの）端子部
５３ｂ              （信号線用雄コンタクトの）端子部
５４                半田ボール
５４ａ              （グランド用雄コンタクトの）半田ボール
５４ｂ              （信号線用雄コンタクトの）半田ボール
８０                フレキシブルケーブル
９０                プリント基板
【図１】
0004862796.tif 000002
【図２】
0004862796.tif 000003
【図３】
0004862796.tif 000004
【図４】
0004862796.tif 000005
【図５】
0004862796.tif 000006
【図６】
0004862796.tif 000007
【図７】
0004862796.tif 000008
【図８】
0004862796.tif 000009
【図９】
0004862796.tif 000010
【図１０】
0004862796.tif 000011
【図１１】
0004862796.tif 000012
【図１２】
0004862796.tif 000013
【図１３】
0004862796.tif 000014
【図１４】
0004862796.tif 000015
【図１５】
0004862796.tif 000016
【図１６】
0004862796.tif 000017
【図１７】
0004862796.tif 000018
【図１８】
0004862796.tif 000019
【図１９】
0004862796.tif 000020
【図２０】
0004862796.tif 000021